(57)【要約】【課題】  照明装置の光が、その他の機器を使い難くすることを防止する。【解決手段】  各ユニット２，３，４を一つの筐体に収容し、人感センサ６を筐体に取り付けて、制御部７は、ディスプレイ４ａをＯＦＦとした場合に所定の明るさで発光部２ａを点灯させ、ディスプレイ４ａをＯＮ状態とした場合、または、人感センサ６が患者の手を感知した場合に、所定の明るさよりも暗く発光部２ａを点灯させるようにしている。これにより、ディスプレイ４ａがＯＦＦの場合や、患者が呼出操作部３ａを操作しようとしていない場合には、発光部２ａが所定の明るさで点灯するので、充分な明るさを確保することができる。また、ディスプレイ４ａがＯＮの場合や、患者が呼出操作部３ａを操作しようとした場合には、発光部２ａが所定の明るさよりも暗く点灯するので、照明ユニット２の光がディスプレイ４ａや呼出操作部３ａを見難くすることがなくなる。【選択図】  図２
2009285300.tif 000002
【特許請求の範囲】
【請求項１】
患者の近傍を照明する発光部および前記発光部の点灯／消灯を切り替える照明スイッチを有する照明ユニットと、
前記患者が医療従事者を呼び出すために操作する呼出操作部および前記呼出操作部の操作により呼出信号を生成する呼出信号生成部を有するナースコールユニットと、
画面上に映像などの情報を表示するディスプレイおよび前記ディスプレイのＯＮ／ＯＦＦを切り替えるディスプレイスイッチを有するディスプレイユニットと、
前記照明ユニット、前記ナースコールユニット、前記ディスプレイユニットを収容する筐体と、
前記筐体に取り付けられ、前記呼出操作部を操作しようとした患者の手を感知するための人感センサと、
前記ディスプレイスイッチがＯＮ状態であるかＯＦＦ状態であるかを検知するディスプレイ状態検知部と、
前記照明スイッチの操作により前記発光部が点灯し、前記ディスプレイスイッチがＯＦＦ状態であると前記ディスプレイ状態検知部にて検知された場合に、所定の明るさで前記発光部を点灯させ、前記照明スイッチの操作により前記発光部が点灯し、前記ディスプレイスイッチがＯＮ状態であると前記ディスプレイ状態検知部にて検知された場合に、または、前記照明スイッチの操作により前記発光部が点灯し、前記人感センサが前記患者の手を感知した場合に、前記所定の明るさよりも暗い明るさで前記発光部を点灯させる制御部と、
備えたナースコール子機。
【発明の詳細な説明】
【技術分野】
【０００１】
本発明は、患者毎に設置され、患者を照らす照明灯と映像などの情報を表示するディスプレイとを備えたナースコール子機に関し、ナースコール子機からの呼び出しに対して、ナースコール親機で応答できるように成されたナースコールシステムに用いて好適なものである。
【背景技術】
【０００２】
従来、病院などの施設に設置されるナースコールシステムでは、病室内の患者の近辺（例えば、ベッド近傍など）に設置されたナースコール子機および看護師などの医療従事者が在室しているナースセンターなどに設置されたナースコール親機を有線や無線などにより接続している。また、ナースコール子機およびナースコール親機は、廊下灯や制御機などを介して接続されている。
【０００３】
ナースコール子機およびナースコール親機を有線にて接続する場合には、ナースコール子機のコードの先端に設けられた接続端子は、病室内のベッド近傍の壁面に埋め込まれた壁面ユニットの接続部に着脱自在に取り付けられている。
【０００４】
また、ナースコール子機としては、握り押しボタン式子機やハンド形子機等がある。握り押しボタン式子機は、押しボタン状の呼出操作部の操作により医療従事者を呼び出すものであり通話機能は持っていない。また、ハンド形子機は、呼出操作部に加えてマイクおよびスピーカを内蔵しており、通話機能を有している。なお、このようなナースコールシステムは、病院だけではなく、介護施設などでも使用されている。
【０００５】
ところで、患者がベッド上でテレビなどを視聴するためのディスプレイ装置をベッド近傍に設置することが知られている。ここで、ディスプレイ装置は、映像などの情報を表示する。また、タッチパネル付きのディスプレイ装置とすることで、情報の表示だけではなく、情報の入力を行うこともできる。また、夜間などの暗い場合でも患者が読書などを行うための読書灯や、夜間などの暗い場合でも医療従事者が患者の患部などを確認するための処置灯として使用される照明装置をベッド近傍に設置することも知られている。ここで、照明装置は、例えば、可動式のアームなどを介してベッド近傍の壁面に取り付けられる。
【０００６】
また、上述したようなナースコール子機とディスプレイ装置とを一つの筐体に収容してベッド近傍に設置する技術が知られている（例えば、特許文献１など）。また、ナースコール子機と照明装置とを一つの筐体に収容してベッド近傍に設置する技術も知られている（例えば、特許文献２など）。
【特許文献１】特開平９−２９４７８４号公報
【特許文献２】特開２００５−５２４０４号公報
【０００７】
特許文献１に示すように、ナースコール子機とディスプレイ装置とを一つの筐体に収容したり、特許文献２に示すように、ナースコール子機と照明装置とを一つの筐体に収容したりすることで、様々な機能を一つの筐体に搭載することができる。また、特許文献１に記載の技術と特許文献２に記載の技術とを組み合わせることで、ナースコール子機とディスプレイ装置と照明装置とを一つの筐体に収容することも可能である。
【０００８】
しかしながら、ディスプレイ装置と照明装置とを一つの筐体に収容した場合に、照明装置を点灯状態にしたままでディスプレイ装置を使用すると、ディスプレイ装置の画面が照明装置の光で見難くなってしまうという問題があった。同様に、ナースコール子機と照明装置とを一つの筐体に収容した場合に、照明装置を点灯状態にしたままでナースコール子機を操作しようとすると、ナースコール子機の操作部が照明装置の光で見難くなってしまうという問題があった。
【発明の開示】
【発明が解決しようとする課題】
【０００９】
このように、一つの筐体に複数の機能を搭載した場合、特に、照明装置とその他の機器とを一つの筐体に搭載した場合、点灯状態である照明装置の光が、その他の機器を使い難くしてしまうという問題があった。本発明は、これらの問題を解決するために成されたものであり、照明装置とナースコール子機とディスプレイ装置とを一つの筐体に搭載した場合に、照明装置の光が、その他の機器を使い難くすることを防止することを目的とする。
【課題を解決するための手段】
【００１０】
上述した課題を解決するために、本発明では、患者の近傍を照明する照明ユニットと、患者が医療従事者を呼び出すために操作する呼出操作部を備えたナースコールユニットと、ディスプレイの画面上に映像などの情報を表示するディスプレイユニットとを一つの筐体に収容し、呼出操作部を操作しようとした患者の手を感知するための人感センサを筐体に取り付ける。そして、照明ユニットの発光部が点灯した状態で、ディスプレイをＯＦＦ状態とした場合に、所定の明るさで発光部を点灯させる。一方、発光部が点灯した状態で、ディスプレイをＯＮ状態とした場合に、または、発光部が点灯した状態で、人感センサが患者の手を感知した場合に、所定の明るさよりも暗い明るさで発光部を点灯させるようにしている。
【発明の効果】
【００１１】
以上のように、本発明によれば、ディスプレイがＯＦＦ状態である場合や、患者がナースコールユニットの呼出操作部を操作しようとしていない場合には、発光部が所定の明るさで点灯するので、読書灯や処置灯として充分な明るさを確保することができる。また、ディスプレイがＯＮ状態である場合や、患者がナースコールユニットの呼出操作部を操作しようとした場合には、発光部が所定の明るさよりも暗い明るさで点灯するので、照明ユニットの光がディスプレイの表示を見難くしたり、ナースコールユニットの呼出操作部を見難くしたりすることがなくなる。従って、照明ユニットとディスプレイユニットとナースコールユニットとを一つの筐体に搭載した場合に、照明ユニットの光が、その他のユニットを使い難くすることを防止するができる。
【発明を実施するための最良の形態】
【００１２】
以下、本発明の一実施形態を図面に基づいて説明する。図１は、本実施形態によるナースコール子機１の外観例を示す図であり、図２は、本実施形態によるナースコール子機１の構成例を示すブロック図である。図１および図２に示すように、本実施形態によるナースコール子機１は、照明ユニット２、ナースコールユニット３、ディスプレイユニット４、ディスプレイ状態検知部５、人感センサ６、制御部７、インターフェース８を備えて構成されている。
【００１３】
また、照明ユニット２は、発光部２ａおよび照明スイッチ２ｂを備えて構成されている。また、ナースコールユニット３は、呼出操作部３ａおよび呼出信号生成部３ｂを備えて構成されている。また、ディスプレイユニット４は、ディスプレイ４ａおよびディスプレイスイッチ４ｂを備えて構成されている。
【００１４】
また、ナースコール子機１は、アームＡによって保持されており、アームＡの先端部分は、壁面ユニット１０に収容されている。アームＡは、途中に設けた回動部により屈曲可能であり、患者や医療従事者は、アームＡを屈曲することにより、ナースコール１の筐体１ａを所望の角度にすることができる。壁面ユニット１０は、コネクタ部１０ａ、アーム収容部１０ｂを備えて構成されている。ナースコール子機１への電源の供給や信号の入出力は、コードＣを介して行われており、コードＣは、壁面ユニット１０のコネクタ部１０ａに接続されている。また、壁面ユニット１０は、病室内の患者の近辺の壁面に埋め込まれている。
【００１５】
照明ユニット２は、アームＡを動かすことによって、患者の近傍の所望の領域を照明するための適切な位置に調整される。また、ナースコールユニット３は、壁面ユニット１０を介してナースコール親機（図示せず）に接続されている。また、ディスプレイユニット４は、アームＡを動かすことによって、患者がディスプレイ４ａを見易い位置に調整される。
【００１６】
ナースコール親機は、医療従事者が在室するナースセンターなどに設置されている。ここで、ナースコール親機には、複数のナースコール子機１が接続されている（図示せず）。また、壁面ユニット１０とナースコール親機との間に廊下灯や制御機などを設けるようにしても良い。ここで、廊下灯は、病室毎に設けられており、各部屋の出入口近傍の外側の壁面などに取り付けられており、患者からの呼び出し時に点灯するなどの状態変化により呼び出しを報知する。また、制御機は、壁面ユニット１０から出力された呼出信号を入力し、呼出信号を識別するとともに、呼出信号がどの患者からのものであるか（どの壁面ユニット１０からのものであるか）を特定してナースコール親機に送信する。
【００１７】
発光部２ａは、蛍光灯やＬＥＤ（Light Emitting Diode）などにより構成されており、筐体１ａに下方を照明するように取り付けられている。発光部２ａからの光は、少なくとも患者の近傍の領域を照明することが可能である。照明スイッチ２ｂは、発光部２ａを点灯／消灯する（点灯状態と消灯状態とを切り替える）ためのものであり、患者や医療従事者により操作される。
【００１８】
呼出操作部３ａは、患者により医療従事者を呼び出すための操作を行なうもので、ボタンなどにより構成されている。呼出信号生成部３ｂは、呼出操作部３ａが操作された場合に、操作信号を生成して外部に出力する。
【００１９】
ディスプレイ４ａは、画面上に映像などの情報を表示するもので、液晶の素子を組み込んだＬＣＤ（Liquid Crystal Display）などが用いられる。なお、ディスプレイ４ａには、コードＣを介して入力した映像信号に基づく映像が表示されても良いし、ディスプレイユニット４に設けたアンテナ（図示せず）により受信したテレビ放送に基づく映像が表示されても良いし、壁面ユニット１０に設けた入力部（図示せず）により入力した外部機器からの映像信号に基づく映像が表示されても良い。ディスプレイスイッチ４ｂは、ディスプレイのＯＮ／ＯＦＦを切り替えるためのものであり、患者や医療従事者により操作される。
【００２０】
ディスプレイ状態検知部５は、ディスプレイスイッチ４ｂがＯＮ状態であるかＯＦＦ状態であるかを検知するものであり、周知の技術により実現される。人感センサ６は、筐体１ａに取り付けられ、ナースコールユニット３の呼出操作部３ａを操作しようとした患者の手を感知するためのものである。ここで、人感センサ６としては、赤外線方式、超音波方式、可視光方式などの周知の方式が用いられる。また、人感センサ６は患者の手を感知すると記載したが、実際には、人感センサ６は患者の手を特定して感知するわけではなく、筐体１に近付いた物体を感知している。
【００２１】
制御部７は、照明スイッチ２ｂの操作により発光部２ａが発光している状態で、発光部２ａの明るさを制御するものである。発光部２ａが発光している状態で、ディスプレイスイッチ４ｂがＯＦＦ状態であるとディスプレイ状態検知部５にて検知された場合に、制御部７は所定の明るさで発光部２ａを点灯させる。ここで、所定の明るさとは、照明ユニット２を読書灯や処置灯として使用する際に充分な明るさを得られる程度の明るさであり、患者が直視すると眩しいと感じるような明るさである。
【００２２】
一方、発光部２ａが発光している状態で、ディスプレイスイッチ４ｂがＯＮ状態であるとディスプレイ状態検知部５にて検知された場合に、制御部７は所定の明るさよりも暗い明るさで発光部２ａを点灯させる。また、発光部２ａが発光している状態で、人感センサ６が患者の手を感知した場合に、制御部７は所定の明るさよりも暗い明るさで発光部２ａを点灯させる。ここで、所定の明るさよりも暗い明るさとは、少なくとも患者が呼出操作部３ａを視認できる程度に呼出操作部３ａを照明する明るさであり、かつ、患者が直視しても眩しいと感じない程度の明るさである。
【００２３】
インターフェース８は、呼出信号生成部３ｂにて生成された呼出信号をナースコール親機に出力する。
【００２４】
以上詳しく説明したように、本実施形態によれば、患者の近傍を照明する照明ユニット２と、患者が医療従事者を呼び出すために操作する呼出操作部３ａを備えたナースコールユニット３と、ディスプレイ４ａの画面上に映像などの情報を表示するディスプレイユニット４とを一つの筐体１ａに収容し、呼出操作部３ａを操作しようとした患者の手を感知するための人感センサ６を筐体１ａに取り付ける。そして、照明ユニット２の発光部２ａが点灯した状態で、ディスプレイ４ａをＯＦＦ状態とした場合に、制御部７は、所定の明るさで発光部２ａを点灯させる。一方、発光部２ａが点灯した状態で、ディスプレイ４ａをＯＮ状態とした場合に、または、発光部２ａが点灯した状態で、人感センサ６が患者の手を感知した場合に、制御部７は、所定の明るさよりも暗い明るさで発光部２ａを点灯させるようにしている。
【００２５】
これにより、ディスプレイ４ａがＯＦＦ状態である場合や、患者がナースコールユニット３の呼出操作部３ａを操作しようとしていない場合には、発光部２ａが所定の明るさで点灯するので、読書灯や処置灯として充分な明るさを確保することができる。また、ディスプレイ４ａがＯＮ状態である場合や、患者がナースコールユニット３の呼出操作部３ａを操作しようとした場合には、発光部２ａが所定の明るさよりも暗い明るさで点灯するので、照明ユニット２の光がディスプレイ４ａの表示を見難くしたり、ナースコールユニット３の呼出操作部３ａを見難くしたりすることがなくなる。従って、照明ユニット２とディスプレイユニット４とナースコールユニット３とを一つの筐体に搭載した場合に、照明ユニット２の光が、その他のユニット３，４を使い難くすることを防止するができる。
【００２６】
なお、上述した実施形態では、ナースコール子機１とナースコール親機との間の通話機能を省略しているが、これに限定されない。例えば、ナースコールユニット３や壁面ユニット１０にマイクやスピーカを内蔵して、ナースコール子機１とナースコール親機との間の通話機能を実現するようにしても良い。
【００２７】
また、上述した実施形態では、人感センサ６が患者の手を感知した場合に、制御部７は、所定の明るさよりも暗い明るさで発光部２ａを点灯させるようにしているだけであるが、これに限定されない。例えば、制御部７は、所定の明るさよりも暗い明るさで発光部２ａを点灯させ、所定の時間（例えば、１０秒など）が経過した後に、再び所定の明るさで発光部２ａを点灯させるようにしても良い。
【００２８】
また、上述した実施形態では、照明スイッチ２ｂおよびディスプレイスイッチ４ｂを筐体１ａ内に設けているが、これに限定されない。例えば、無線式のリモコン装置に照明スイッチ２ｂやディスプレイスイッチ４ｂを設け、筐体１ａ内にリモコン装置からの信号を受信する受信装置を設けるようにしても良い。ここで、本発明では、ナースコールユニット３の呼出操作部３ａは、発光部２ａの近傍に配置される必要があるため、リモコン装置に呼出操作部３ａを設けることはない。
【００２９】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００３０】
【図１】本実施形態によるナースコール子機の外観例を示す図である。
【図２】本実施形態によるナースコール子機の構成例を示すブロック図である。
【符号の説明】
【００３１】
１    ナースコール子機
２    照明ユニット
２ａ    発光部
２ｂ    照明スイッチ
３    ナースコールユニット
３ａ    呼出操作部
３ｂ    呼出信号生成部
４    ディスプレイユニット
４ａ    ディスプレイ
４ｂ    ディスプレイスイッチ
５    ディスプレイ状態検知部
６    人感センサ
７    制御部
８    インターフェース
【図１】
2009285300.tif 000003
【図２】
2009285300.tif 000004